【事件の表示】
　特願２０１６−１５９５５８号「遊技場システム及びプログラム」拒絶査定不服審判事件〔平成２８年１２月１５日出願公開、特開２０１６−２０９６５２号〕について、次のとおり審決する。
【結　論】
　本件審判の請求は、成り立たない。
【理　由】
１　手続の経緯の概要
　本願は、平成２３年１０月２１日に出願した特願２０１１−２３１３５１号の一部を平成２７年１１月１８日に新たな特許出願（特願２０１５−２２５６６９号）とし、さらにその一部を平成２８年８月１６日に新たな特許出願（特願２０１６−１５９５５８号）としたものであって、平成２９年８月２４日付けで拒絶の理由が通知され、同年１０月１３日に意見書及び手続補正書が提出されたところ、平成３０年２月２日付け（発送日：同年２月６日）で拒絶査定がなされ、それに対して、同年４月１９日に拒絶査定不服審判の請求がなされたものである。
　
２　本願発明
　本願の請求項１〜５に係る発明は、平成２９年１０月１３日提出の手続補正書により補正された特許請求の範囲の請求項１〜５に記載されたとおりのものであるところ、その請求項１に係る発明（以下「本願発明」という。）は、次のとおりのものである。
「Ａ　通信端末に遊技機に関する情報を送信可能なサーバと、
Ｂ　遊技機に対応付けられた遊技装置と、
Ｃ　を備える遊技場システムにおいて、
Ｄ　前記遊技装置は、当該遊技装置の内部に設けられ、前記通信端末が近接したことに基づいて、当該通信端末に特定情報を送信可能な第１送信手段を備え、
Ｅ　前記通信端末は、前記第１送信手段から前記特定情報を受信したことに基づいて、当該特定情報を前記サーバに送信可能な第２送信手段を備え、
Ｆ　前記サーバは、前記第２送信手段から前記特定情報を受信したことに基づいて、前記遊技機に関する情報を前記通信端末に送信可能な第３送信手段を備え、
Ｇ　前記通信端末は、前記第３送信手段から前記遊技機に関する情報を受信したことに基づいて、前記遊技機に関する情報を表示可能な表示手段を備え、
Ｈ　前記遊技機に関する情報には、遊技履歴と機種情報とが含まれる
　ことを特徴とする遊技場システム。」（記号Ａ〜Ｈは、分説するため当審で付した。）
　
３　原査定の拒絶の理由
　原査定の拒絶理由は、概略、次のとおりのものである。
（進歩性）本願の請求項１に係る発明は、その出願前に日本国内において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　　　　　　　　　　　　　〈引用文献等一覧〉
　１.特開２００８−１１０１８０号公報
　２.特開２０１０−２７４１０５号公報
　
４　引用文献に記載された発明
（１）引用文献１に記載された発明
　原査定の拒絶理由において引用文献１として引用された、本願の遡及日前に頒布された刊行物である特開２００８−１１０１８０号公報には、図面とともに次の事項が記載されていると認められる（下線は当審で付した。以下同じ。）。
　
　　ア　記載事項
　　（ア）「【技術分野】
【０００１】
　本発明は、パチンコやスロットマシン等の遊技機を多数設置する遊技店舗において、遊技環境を良好に整え、また集客力を強化して経営上の収益を確保するために遊技機に関する有益な情報を収集・管理・提供し得る
遊技機情報管理システム
・・・
【発明が解決しようとする課題】
【０００９】
　しかし、こうしたホールに設置される情報管理システムを導入しても、遊技者にとっては、例えば従来からある台ランプに表示される数日間の大当たり回数履歴を基にその台の出玉予測を行うしかなかった。すなわち、従来の情報管理システムは、主としてホールの収益確保を目的とするものであり、顧客である遊技者にとって有益な情報、利便性及びサービス等を十分に提供できるものではなかった。
【００１０】
　本発明は、こうした従来の課題を解決するためになされたものであり、遊技店舗の収益状態を良好に維持しながらも、遊技者にとって有益な情報、サービス等を提供できるようにして集客力を強化し、遊技者である顧客の満足度向上を図ることが可能な遊技機情報管理システムを提供することを目的としている。」
　
　　（イ）「【００２８】
　本システムが導入されるホールＨＬの遊技機１０には、それぞれの前パネルの所定位置（例えば玉皿ユニットの左端部）に、例えば
ＱＲコード１１である二次元コード
ＱＲコード１１
は、
ホールＨＬに関する情報、機種別情報、各台ごとの情報を検索可能なリンク先のアドレス情報
を含み
【００２９】
　すなわち、ホールＨＬの顧客である遊技者は、所望する任意の遊技機１０に関する遊技機情報にアクセスしようとするとき、自分が所持する携帯端末である例えば携帯電話ＭＴのＣＣＤカメラを用いて
ＱＲコード１１を接写することで、
携帯電話ＭＴ
ＱＲコード用アプリケーションは、読み取った二次元コードデータを解読し、
アドレス情報を抽出して携帯電話ＭＴの液晶表示部に
表示させる。
リンク先に対応して付けられた項目名（例えばホール名、機種名、台番号）
ＱＲコード用アプリケーションは、
ユーザ用サイトサーバ１０５との通信を確立する。
携帯電話ＭＴのＱＲコード用アプリケーションは、
当該アドレス情報に基づく
リンク先にアクセスする
　
　　（ウ）「【００５３】
　
ユーザ用サイトサーバ１０５の携帯ＷＥＢサイトアプリケーションプログラム１０５２は、通信接続が確立した携帯電話ＭＴからの要求信号に応じて、当該携帯電話ＭＴに対し遊技機情報
を提供する
【００５４】
　例えば、上述したように、ホールに訪れた遊技者が自己の
携帯電話ＭＴ
台ランプ
設けられたＱＲコード１１
画面
が液晶表示部に表示される
【００５５】
　例えば図１５（ａ）に示されるトップメニュー画面には、当該ホールＨＬに設置されている機種名の一覧が表示されている。また、トップメニュー画面により、当該ホールＨＬの広告や機種別ランキング等の情報が提供される。遊技者は、例えば情報が欲しい機種名の項目をメニュー画面上で選択操作することで、その機種の機種別ディレクトリ１０５４に保存されているインデックスファイルによる台番メニュー画面（例えば図１５（ｂ）参照）が表示される。また、この台番メニュー画面により、その機種の広告、攻略方法、設置場所等の情報が提供される。
【００５６】
　また、図１５（ｂ）に示されるような台番メニュー画面上で、遊技者が情報を求める台番号を選択操作すると、その
遊技機１０の過去の特賞回数
の情報が
遊技者に提供される
遊技機１０の個別台情報を提供する画面
　
　　イ　認定事項
　　（エ）
　
　携帯ＷＥＢサイトによる表示画面の一例である【図１５】（ｃ）
　
　そして、【００５４】に「・・・携帯電話ＭＴ・・・画面・・・が液晶表示部に表示される。」と記載され、【００５６】に「・・・遊技機１０の過去の特賞回数・・・情報が・・・遊技者に提供される・・・」と記載されている。
　そうすると、【図１５】（ｃ）には、
携帯電話ＭＴの液晶表示部に、遊技機１０の遊技機情報として、遊技機１０の過去の特賞回数や、台番号、機種名が表示される
　
　　　ウ　上記（ア）〜（ウ）の記載事項、上記（エ）の認定事項、及び、図面の図示内容を総合勘案すると、引用文献１には、次の発明（以下「引用発明」という。）が記載されているものと認められる（ａ〜ｈは、本願発明のＡ〜Ｈに対応させて付与した。）。
「ａ　携帯電話ＭＴに対し遊技機情報を提供するユーザ用サイトサーバ１０５（【００５３】）と、
ｂ　台ランプ（【００５４】）と、
ｃ　を備える遊技機情報管理システム（【０００１】）において、
ｄ’台ランプには、ＱＲコード１１が設けられ（【００５４】）、
ｅ’携帯電話ＭＴは、ＱＲコード用アプリケーションを用いて、ＱＲコード１１である二次元コードを接写することで読み取った二次元コードデータを解読し、ホールＨＬに関する情報、機種別情報、各台ごとの情報を検索可能なリンク先のアドレス情報を抽出し、そのアドレス情報に基づいて、通信が確立されたユーザ用サイトサーバ１０５にアクセスし（【００２８】【００２９】）、
ｆ　ユーザ用サイトサーバ１０５は、携帯ＷＥＢサイトアプリケーションプログラム１０５２を用いて、通信接続が確立した携帯電話ＭＴからの要求信号に応じて、当該携帯電話ＭＴに対し遊技機情報を提供し（【００５３】）、
ｇ　携帯電話ＭＴは、ユーザ用サイトサーバ１０５との通信を確立し、液晶表示部に、遊技機１０の遊技機情報を提供する画面を表示させ（【００２９】、【００５４】、【００５６】）、
ｈ　携帯電話ＭＴの液晶表示部に、遊技機１０の遊技機情報として、遊技機１０の過去の特賞回数や、台番号、機種名が表示される（【００５３】、【図１５】（ｃ））
　遊技機情報管理システム。」
　
（２）引用文献２に記載された技術事項
　原査定の拒絶理由において引用文献２として引用された、本願の遡及日前に頒布された刊行物である特開２０１０−２７４１０５号公報には、図面とともに次の事項が記載されていると認められる（下線は当審で付した。以下同じ。）。
　
　　ア　記載事項
　　（ア）「【技術分野】
【０００１】
　この発明は、
表示部を有する携帯通信端末に、
遊技台情報を提供する
遊技台情報提供システム
・・・
【発明が解決しようとする課題】
・・・
【０００８】
　そこで、この発明の目的は、遊技台の入替え時における作業負担を低減することができる遊技台情報提供システムおよび遊技台情報提供方法、ならびにこれらに用いられるリダイレクト装置を提供することである。」
　
　　（イ）「【発明を実施するための形態】
【００３８】
　以下では、この発明の実施の形態を、添付図面を参照して詳細に説明する。
　図１は、本発明の一実施形態（第１実施形態）に係る遊技台情報提供システムの構成を示すブロック図である。
　この遊技台情報提供システムは、遊技店に設置された遊技台１（たとえば、パチンコ機やパチスロ機）で遊技をしている者または遊技をしようとしている者（以下、遊技者という）が、自身の所有する携帯通信端末の一例としての携帯電話機２を用いて、当該遊技台１の遊技台情報の提供を受けるようにしたシステムであり、遊技台１に関連して配置されたリーダライタ３と、システム管理会社に設置されたリダイレクトサーバ（リダイレクト装置）４と、ウェブ管理会社に設置されたウェブサーバ（情報提供制御装置）５とを含む。
リダイレクトサーバ４と携帯電話機２とは、インターネット回線（通信回線）６を通じて接続可能に設けられている。
【００３９】
　遊技店内には、複数の遊技台１が配置されている。各遊技台１には、一対一に対応付けられた台間機７が隣接して配置されている。台間機７は、対応する遊技台１における遊技に使用する遊技媒体（たとえば、パチンコ球やパチスロメダル）を貸し出すための装置である。各台間機７は、遊技媒体の貸出しに関するデータを中継装置８を介して、遊技店内に設置された管理装置９に送信する。
【００４０】
　
各遊技台１には、携帯電話機２と非接触通信を行うためのリーダライタ３が、一対一に対応付けて設けられている。
　図２は、リーダライタ３の配置構成を説明するための正面図である。
　遊技台１は、たとえば、遊技盤１０に向けて遊技球を発射することにより遊技を行うパチンコ機であって、その前面には、発射装置（図示せず）から遊技盤１０に向けて発射する遊技球の勢いを調節するためのハンドル１１と、発射装置から遊技盤１０に向けて発射すべき遊技球を貯留しておくための上皿１２と、上皿１２から溢れた遊技球を貯留しておくための下皿１３とが備えられている。
【００４１】
　台間機７は、遊技台１の左隣に配置され、対応する遊技台１における遊技に使用する遊技媒体（たとえば、パチンコ球）を貸し出すための装置である。台間機７の前面には、紙幣投入口１４などが配置されている。
　遊技台１の上方には、島設備の幕板１５が張り出している。幕板１５の前面には、遊技台１の稼動状況を表示するためのデータ表示装置１６が配置されている。そして、リーダライタ３が、データ表示装置１６の右隣に配置されている。このため、遊技台１の前に着座しながら、携帯電話機２をリーダライタ３にかざすことができ、これにより携帯電話機２とリーダライタ３とを非接触（無線）通信させることができる。
【００４２】
　図３は、リーダライタ３の斜視図である。図４は、リーダライタ３の電気的構成を示すブロック図である。
　
リーダライタ３は、
ケーシング１７内には、
アンテナ部２０が収容されている。
【００４３】
　アンテナ部２０は、携帯電話機２のＩＣチップ２１（後述する）と、携帯電話機２の主制御部２２（後述する）との間で三者間通信を行うものであり、ＩＣチップ２１との間の通信により、携帯電話機２のＩＣチップ２１のＩＤｍ（チップ製造番号）を取得することができる。ＩＤｍは、ＩＣチップ２１ごとに異なるもの（固有の番号）であり、かざされた携帯電話機２が同一のものであるか否かを判定することに用いられる。
【００４４】
　記憶部１９には、リダイレクトサーバ４のＵＲＬ（Uniform Resource Locator。位置情報）であるリダイレクトＵＲＬ（リダイレクト位置情報）、リーダライタ３に対応する遊技台１が設置される遊技店の店番号、当該遊技台１の台番号およびリーダライタ３に付与された固有の番号であるリーダライタ番号が記憶されている。また、記憶部１９には、アンテナ部２０によって取得されたＩＣチップ２１のＩＤｍが記憶される。」
　
　　（ウ）「【００５４】
・・・図８は、遊技台情報提供システムにおける信号授受の流れを示すシーケンス図である。図９は、図１に示す携帯電話機２の表示部２６に順に表示される画面の具体例を示す図である。
　
　
　遊技台情報提供システムにおける信号授受の流れを示すシーケンス図である【図８】
　携帯電話機の表示部に表示される画面の具体例を示す図である【図９】（ｃ）
　
　
【００５５】
　
遊技者が、
携帯電話機２を
リーダライタ３にかざすと
携帯電話機２の
携帯電話機２
およびリーダライタ３の
間で
通信が行われる。
【００５６】
　そして、リーダライタ３は、リダイレクトサーバ４への接続指示を、携帯電話機２のＩＣチップ２１に与える（２．接続指示）。また、携帯電話機２
リーダライタ３は、
このリダイレクトＵＲＬに対する接続指示を、携帯電話機２の主制御部２２に向けて送信する
このリダイレクトＵＲＬは、リダイレクトサーバ４のＵＲＬの後に、付加的なコード情報
を付加したものである。このコード情報は、店番号、台番号
などの情報を含むものである。
【００５７】
　
携帯電話機２の主制御部２２が接続指示を受信すると、
【００５８】
　そして、携帯電話機２の操作によって、
リダイレクトサーバ４への接続が許可されると、携帯電話機２の主制御部２２は、リダイレクトＵＲＬへの接続を開始する。
・・・
【００６１】
　そのときの時刻が、付加情報付ＵＲＬに含まれる有効期限内であるときは、ウェブサーバ５は、携帯電話機２に遊技台情報表示用のページデータを送信する（６．ページデータ）。そして、
携帯電話機２
が、表示部２６に遊技台情報を表示する
遊技台情報は、遊技台１の特徴、キャラクタ紹介、リーチ演出、予告演出およびスペック
　
　　（エ）「【０１０３】
　また、第１〜第４実施形態において、このようなＩＤｍを用いた会員システムが採用されている場合、遊技台情報に加えて会員情報を、携帯電話機２に表示することもできる。具体的には、ポイントシステムが採用されている場合は、遊技台情報に加えてポイント情報を表示することができる。
　また、前述の第１実施形態では、
リーダライタ３にはアンテナ部２０が内蔵されている
・・・
【０１０５】
　また、第１〜第４実施形態では、
リーダライタ３
は、
データ表示装置１６に付設されていてもよい。
　さらに、遊技台１の間に配置された台間機７の前面に配置されていてもよい。また、隣接する遊技台１の間にテレビや空気清浄機などが配置される場合には、その前面に配置される構成であってもよい。」
　
　　（オ）
「【０１４７】
　以上により、この実施形態によれば、リダイレクトサーバ１０３には、遊技台表示データのＵＲＬが、台番号と対応付けられた状態で記憶されている。携帯電話機１１３が非接触用Ｒ／Ｗ部１２５から台番号を取得することにより、
携帯電話機
はリダイレクトサーバ
に
接続要求を送信する。携帯電話機
からの
接続要求を受信すると、
接続要求に含まれる台番号
遊技台１０１の種別に応じたＵＲＬが
ＵＲＬが携帯電話機
に送信される。
携帯電話機
の表示部に、
遊技台情報が表示される。
　
　　イ　上記（ア）〜（オ）の記載事項、及び、図面の図示内容を総合勘案すると、引用文献２には、次の技術事項（以下「引用文献２に記載された技術事項」という。）が記載されているものと認められる（ａ〜ｇは、本願発明のＡ〜Ｇに対応させて付与した。）。
「ａ’携帯電話機２と、インターネット回線（通信回線）６を通じて接続可能に設けられているリダイレクトサーバ４（【００３８】）と、
ｂ　各遊技台１に一対一に対応付けて設けられ、携帯電話機２と非接触通信を行うためのリーダライタ３が付設されているデータ表示装置１６（【００４０】、【００４１】、【０１０５】）と、
ｃ　を備え、表示部を有する携帯電話機２に遊技台情報を提供する遊技台情報提供システム（【０００１】）において、
ｄ　リーダライタ３は、ケーシング１７内に収容され、携帯電話機２がかざされることにより、後に、店番号、台番号などの付加的なコード情報が付加されたリダイレクトサーバ４のＵＲＬに対する接続指示を、携帯電話機２に向けて送信するためのアンテナ部２０を備え（【００４２】、【００５６】、【０１０３】）、
ｅ　携帯電話機２の主制御部２２は、接続指示を受信後、リダイレクトサーバ４への接続が許可されると、リダイレクトサーバ４のＵＲＬへの接続を開始し、携帯電話機からリダイレクトサーバに台番号を含む接続要求を送信し、リダイレクトサーバが携帯電話機からの接続要求を受信すると、携帯電話機に遊技台１０１の種別に応じたＵＲＬが送信されて、携帯電話機の表示部に遊技台情報が表示され（【００５８】、【０１４７】）、
ｇ’携帯電話機２が、表示部２６に、遊技台１の特徴、キャラクタ紹介、リーチ演出、予告演出およびスペックである遊技台情報を表示する（【００６１】）
　遊技台情報提供システム。」
　
５　対比
　本願発明と引用発明とを、分説に従い対比する。
（ａ）引用発明における「携帯電話ＭＴ」は、本願発明における「通信端末」に相当する。
　そして、引用発明における「遊技機情報」は、構成ｈより「遊技機１０の過去の特賞回数や、台番号、機種名」といった遊技機に関する情報であることから、本願発明における「遊技機に関する情報」に相当する。
　また、引用発明における「ユーザ用サイトサーバ１０５」は、本願発明における「サーバ」に相当する。
　したがって、引用発明における「携帯電話ＭＴに対し遊技機情報を提供するユーザ用サイトサーバ１０５」は、本願発明における「通信端末に遊技機に関する情報を送信可能なサーバ」に相当する。
　
（ｂ）引用発明における構成ｂの「台ランプ」は、遊技台に対応して設けられるものであることは明らかであるから、本願発明における構成Ｂの「遊技機に対応付けられた遊技装置」に相当する。
　
（ｃ）引用発明における構成ｃの（「ユーザ用サイトサーバ１０５」と「台ランプ」とを備える）「遊技機情報管理システム」は、本願発明における構成Ｃの（「送信可能なサーバ」と「遊技機に対応付けられた遊技装置」とを備える）「遊技場システム」に相当する。
　
（ｄ）引用発明における「ＱＲコード１１」は、構成ｅ’より、「ホールＨＬに関する情報、機種別情報、各台ごとの情報を検索可能なリンク先のアドレス情報」を含むものであって、引用発明における「ＱＲコード１１」に含まれる「ホールＨＬに関する情報、機種別情報、各台ごとの情報を検索可能なリンク先のアドレス情報」は、本願発明における「特定情報」に相当する。
　したがって、引用発明における構成ｄ’の「ＱＲコード１１が設けられ」る「台ランプ」と、本願発明における構成Ｄの「遊技装置の内部に設けられ、通信端末が近接したことに基づいて、当該通信端末に特定情報を送信可能な第１送信手段を備え」る「遊技装置」とは、「特定情報を通信端末に伝達する手段を備える遊技装置」であることで共通する。
　
（ｅ）上記（ｄ）より、引用発明における「ＱＲコード１１である二次元コードを接写することで読み取った二次元コードデータを解読し、ホールＨＬに関する情報、機種別情報、各台ごとの情報を検索可能なリンク先のアドレス情報を抽出し、そのアドレス情報に基づ」くことと、本願発明における「第１送信手段から特定情報を受信したことに基づ」くこととは、「特定情報を特定したことに基づ」くことで共通する。
　
　そして、引用発明における「ＱＲコード用アプリケーションを用いて」、「アドレス情報に基づいて、通信が確立されたユーザ用サイトサーバ１０５にアクセス」する手段は、「ＱＲコード用アプリケーションを用いて」、リンク先である「ユーザ用サイトサーバ１０５」に「ホールＨＬに関する情報、機種別情報、各台ごとの情報を検索可能なリンク先のアドレス情報」を送信することである。
　そうすると、引用発明における「アドレス情報に基づいて、通信が確立されたユーザ用サイトサーバ１０５にアクセス」する手段は、本願発明における「特定情報をサーバに送信可能な第２送信手段」に相当する。
　
　したがって、引用発明における構成ｅ’の「携帯電話ＭＴは、ＱＲコード用アプリケーションを用いて、ＱＲコード１１である二次元コードを接写することで読み取った二次元コードデータを解読し、アドレス情報を抽出し、そのアドレス情報に基づいて、通信が確立されたユーザ用サイトサーバ１０５にアクセス」する手段を備えることと、本願発明における構成Ｅの「通信端末は、第１送信手段から特定情報を受信したことに基づいて、当該特定情報をサーバに送信可能な第２送信手段を備え」ることは、「通信端末は、特定情報に基づいて、当該特定情報をサーバに送信可能な第２送信手段を備え」ることで共通する。
　
（ｆ）引用発明は、構成ｅ’より、「携帯電話ＭＴ」から、「アドレス情報に基づいて、通信が確立されたユーザ用サイトサーバ１０５」に「アクセス」するものである。
　そして、引用発明における「ユーザ用サイトサーバ１０５」は、「通信接続が確立した携帯電話ＭＴからの要求信号に応じて、当該携帯電話ＭＴに対し遊技機情報を提供」するものである。
　そうすると、引用発明における「ユーザ用サイトサーバ１０５」が、「通信接続が確立した携帯電話ＭＴからの要求信号に応じ」ることは、「ユーザ用サイトサーバ１０５」が、携帯電話ＭＴからアクセスされることにより送信された「アドレス情報」を受信することである。
　したがって、引用発明における「ユーザ用サイトサーバ１０５」が、「通信接続が確立した携帯電話ＭＴからの要求信号に応じ」ることは、本願発明における「第２送信手段から特定情報を受信したことに基づ」くことに相当する。
　
　そして、上記（ａ）より、引用発明における「遊技機情報」は、本願発明における「遊技機に関する情報」に相当する。
　そうすると、引用発明は、「携帯電話ＭＴに対し遊技機情報を提供」するものであるから、「ユーザ用サイトサーバ１０５」は、「遊技機情報を提供」するための何らかの送信手段を備え、当該送信手段は、本願発明における「遊技機に関する情報を通信端末に送信可能な第３送信手段」に相当する。
　
　したがって、引用発明における構成ｆの「ユーザ用サイトサーバ１０５は、携帯ＷＥＢサイトアプリケーションプログラム１０５２を用いて、通信接続が確立した携帯電話ＭＴからの要求信号に応じて、当該携帯電話ＭＴに対し遊技機情報を提供」する手段を備えることは、本願発明における構成Ｆの「サーバは、第２送信手段から特定情報を受信したことに基づいて、遊技機に関する情報を通信端末に送信可能な第３送信手段」を備えることに相当する。
　
（ｇ）上記（ａ）、（ｆ）より、引用発明における「遊技機情報」は、本願発明における「遊技機に関する情報」に相当することから、引用発明における「遊技機１０の遊技機情報を提供する画面を表示させ」ることは、本願発明における「遊技機に関する情報を表示可能な」ことに相当する。
　そして、引用発明における「液晶表示部」は、本願発明における「表示手段」に相当する。
　したがって、引用発明における構成ｇの「ユーザ用サイトサーバ１０５との通信を確立し、携帯電話ＭＴの液晶表示部に、遊技機１０の遊技機情報を提供する画面を表示させ」る「携帯電話ＭＴ」は、本願発明における構成Ｇの「第３送信手段から遊技機に関する情報を受信したことに基づいて、遊技機に関する情報を表示可能な表示手段を備え」る「通信端末」に相当する。
　
（ｈ）引用発明における「遊技機１０の過去の特賞回数」は、本願発明における「遊技履歴」に相当する。
　そして、引用発明における「台番号、機種名」は、本願発明における「機種情報」に相当する。
　したがって、引用発明における構成ｈの「遊技機１０の遊技機情報には、遊技機１０の過去の特賞回数や、台番号、機種名が含まれ」ることは、本願発明における「遊技機に関する情報には、遊技履歴と機種情報とが含まれる」ことに相当する。
　
　上記（ａ）〜（ｈ）における対比から、本願発明と引用発明とは、
「Ａ　通信端末に遊技機に関する情報を送信可能なサーバと、
Ｂ　遊技機に対応付けられた遊技装置と、
Ｃ　を備える遊技場システムにおいて、
Ｄ’前記遊技装置は、特定情報を通信端末に伝達させる手段を備え、
Ｅ’前記通信端末は、前記特定情報を特定したことに基づいて、当該特定情報を前記サーバに送信可能な第２送信手段を備え、
Ｆ　前記サーバは、前記第２送信手段から前記特定情報を受信したことに基づいて、前記遊技機に関する情報を前記通信端末に送信可能な第３送信手段を備え、
Ｇ　前記通信端末は、前記第３送信手段から前記遊技機に関する情報を受信したことに基づいて、前記遊技機に関する情報を表示可能な表示手段を備え、
Ｈ　前記遊技機に関する情報には、遊技履歴と機種情報とが含まれる
　遊技場システム。」
の点で一致し、構成Ｆ〜Ｈに関し、次の点で相違する。
　
　［相違点１］（構成Ｄ）
　特定情報を通信端末に伝達させる手段に関し、
　本願発明は、遊技装置の内部に設けられ、通信端末が近接したことに基づいて、当該通信端末に特定情報を送信可能な第１送信手段を備えるのに対して、
　引用発明は、そのような構成を備えない点。
　
　［相違点２］（構成Ｅ）
　通信端末によるサーバへ送信される特定情報の特定が、
　本願発明は、第１送信手段から特定情報を受信したことに基づくのに対して、
　引用発明は、そのような構成を備えない点。
　
６　当審の判断
　上記相違点１〜２は、特定情報に関する技術であって、互いに関連するのでまとめて検討する。
　引用文献２に記載された技術事項の構成ａの「リダイレクトサーバ４」は、「携帯電話機２と、インターネット回線（通信回線）６を通じて接続可能に設けられ」、「携帯通信端末に、遊技店に設置される遊技台の遊技台情報を提供する」ものであることから、本願発明における構成Ａの「通信端末に遊技機に関する情報を送信可能なサーバ」に対応する。
　そして、引用文献２に記載された技術事項の構成ｂの「各遊技台１に一対一に対応付けて設けられ」た「リーダライタ３が付設されているデータ表示装置１６」は、本願発明における構成Ｂの「遊技機に対応付けられた遊技装置」に対応する。
　また、引用文献２に記載された技術事項の構成ｃの（「リダイレクトサーバ４」と「データ表示装置１６」とを備える）「遊技台情報提供システム」は、本願発明における構成Ｃの（「送信可能なサーバ」と「遊技機に対応付けられた遊技装置」とを備える）「遊技場システム」に対応する。
　また、引用文献２に記載された技術事項の構成ｄの「ケーシング１７内に収容され、携帯電話機２がかざされることにより、後に、店番号、台番号などの付加的なコード情報が付加されたリダイレクトサーバ４のＵＲＬに対する接続指示を、携帯電話機２に向けて送信するためのアンテナ部２０を備え」る「リーダライタ３」と「データ表示装置１６」は、本願発明における構成Ｄの「遊技装置の内部に設けられ、通信端末が近接したことに基づいて、当該通信端末に特定情報を送信可能な第１送信手段を備え」る「遊技装置」に対応する。
　さらに、引用文献２に記載された技術事項の構成ｅの「接続指示を受信後、リダイレクトサーバ４への接続が許可されると、リダイレクトＵＲＬへの接続を開始する」「携帯電話機２の主制御部２２」は、本願発明における構成Ｅの「第１送信手段から特定情報を受信したことに基づいて、当該特定情報をサーバに送信可能な第２送信手段を備え」る「通信端末」に対応する。
　したがって、引用文献２に記載された技術事項は、本願発明における構成Ｄ、Ｅを備えるものである。
　そして、引用文献２に記載された技術事項と本願発明とは、通信端末に遊技機に関する情報を送信可能なサーバと、遊技機に対応付けられた遊技装置とを備える遊技場システムにおいて、携帯電話に遊技機に関する情報を表示可能とした技術である点で共通する。
　
　ところで、遊技機等の技術分野において、通信端末と装置との間で情報の送受信を行う際に、装置の内部に通信端末との間で送信を行う送信手段を設けることは、本願の遡及日前に周知の技術事項である（例えば、特開２００８−２３７５８０号公報の【００３２】に「台間機５０のかざし部５１に携帯電話機７０がかざし操作されたならば、リーダライタ５７を介してＵＲＬが携帯電話機７０のＩＣチップ８０に対して送信される。」と記載され、特開２００９−２２５８７８号公報の【００４８】に「携帯電話Ａは、パチンコ遊技機１０のＲＦＩＤ読取窓１６を介して通信部２０との間でＲＦＩＤ通信を行う。」と記載されている。）。
　
　これらのことからみて、引用発明における「台ランプ」に、引用文献２に記載された技術事項の「データ表示装置１６に付設されている」「リーダライタ３」を適用して、携帯電話ＭＴを台ランプにかざすことにより、台ランプから携帯電話ＭＴへ台ランプに記憶された台番号等を送信し、携帯電話ＭＴは、台番号等をユーザ用サイトサーバ１０５へ送信可能とすると共に、引用文献２に記載された技術事項における「ケーシング１７内に収容され」た「アンテナ部２０」、又は、上記周知の技術事項に基づいて、「台ランプ」の内部に、台番号等をユーザ用サイトサーバ１０５へ送信可能とする送信手段を設け、上記相違点１〜２に係る本願発明の構成とすることは当業者が容易になし得たものである。
　
（２）請求人の主張について
　審判請求書において、請求人は、次の主張をする（３．本願発明と引用発明との対比　（１））。
　「本願発明は、「前記遊技装置は、当該遊技装置の内部に設けられ、・・・第１送信手段を備え、」とあるように、第１送信手段を遊技装置の内部に設ける構成をさらに備えている。
　このため、遊技者のいたずらによって送信手段を取り外されたりすることが発生し難くなり、遊技者が取り外す場合には遊技装置を破壊しなければならないため、痕跡を残すことができる、といった格別な効果を奏する。
　これに対し、引用文献１では、どこに送信手段を設けるか開示されていない。
　引用文献２には、本発明の送信手段に相当するリーダライタは、遊技台の上方の幕板、データ表示器等に付設されてもよい旨の記載や各種装置の前面に付設されてもよい旨の記載はあるものの（段落［０１０５］参照）、装置の内部に設けることについては開示も示唆もない。
　このため、仮に、引用文献１に係る発明に、引用文献２に係る発明の技術事項を適用したとしても、本願請求項１に係る発明とすることはできない。」　
　そこで、上記請求人の主張について検討する。
　上記（１）において検討したように、引用文献２に記載された技術事項の「データ表示装置１６に付設されている」「リーダライタ３」において、本「アンテナ部２０」は、「リーダライタ３」の「ケーシング１７内に収容され」るものである。
　したがって、本願発明における構成Ｄの「遊技装置の内部に」「第１送信手段」を「設け」ることは、引用文献２に記載された技術事項が備える構成である。
　さらに、遊技機等の技術分野において、通信端末と装置との間で情報の送受信を行う際に、装置の内部に通信端末との間で送信を行う送信手段を設けることは、本願の遡及日前に周知の技術事項である。
　よって、請求人の上記主張を採用することはできない。
　
（３）小括
　本願発明により奏される効果は、引用発明、引用文献２に記載された事項、若しくは、引用発明、引用文献２に記載された事項、及び、周知の技術事項から予測し得る効果の範囲内のものであって、格別なものではない。
　よって、本願発明は、引用発明、引用文献２に記載された事項、若しくは、引用発明、引用文献２に記載された事項、及び、周知の技術事項に基づいて当業者が容易に発明をすることができたものである。
　
７　むすび
　以上のとおりであるから、本願発明は、特許法第２９条第２項の規定により特許を受けることができない。
　したがって、本願は、他の請求項について検討するまでもなく拒絶すべきものである。
　
　よって、結論のとおり審決する。